(57)【要約】【課題】目的とする漢字熟語データを瞬時に見つけ出すことのできる機能と装置の提供。【解決手段】文字データの入力ができる入力手段と、前記入力手段から入力した文字データを表示する外部表示装置と、予め多数の語句を収録した漢字辞書データを記憶してあるデータメモリと、前記入力手段から入力された文字データを単漢字に変換し、変換された単漢字を記憶する外部記憶メモリと、前記入力手段より入力された数字データより、外部記憶メモリに記憶された単漢字データを、使用者が目的とする熟語データの何番目に位置するかを判断し、前記入力手段より入力された数字と一致する順番にある熟語データのみを候補と判断し、外部表示装置へ表示させる。【選択図】    図２
2005070856.tif 000002
【特許請求の範囲】
【請求項１】
少なくとも文字データの入力ができる入力手段と、前記入力手段から入力した文字データを表示する外部表示装置と、予め多数の語句を収録した漢字辞書データを記憶してあるデータメモリと、前記入力手段から入力された文字データを単漢字に変換し、変換された単漢字を記憶する外部記憶メモリと、前記入力手段より入力された数字データより、外部記憶メモリに記憶された単漢字データを、使用者が目的とする熟語データの何番目に位置するかを判断し、前記入力手段より入力された数字と一致する順番にある熟語データのみを候補と判断し、外部表示装置へ表示させる機能を有する電子辞書における漢字熟語検索機能。
【請求項２】
使用者が電子辞書により日本語の訳表示を観覧している場合、使用者によって特定の単漢字を指定する事により、熟語検索が可能な電子辞書の場合、使用者によって指定された単漢字が目的とする熟語の何番目に位置するかを指定する事ができる機能を特徴とする、請求項１に記載の漢字熟語検索機能。
【請求項３】
使用者が電子辞書により漢字辞典の熟語データを検索する場合、使用者によって特定の単漢字を特定し、尚かつ熟語に含まれる単漢字の「前方一致」「後方一致」または「前後以外」を指定する事が出来る機能を特徴とする、請求項１に記載の漢字熟語検索機能。
【請求項４】
使用者が電子辞書により中国語辞典を検索する場合、前記入力手段より中国語の１文字を入力し、また文字位置を指定する事により、使用者が目的とする複雑な中国語の漢字熟語を、短時間に入力と検索を行う事を目的とする機能を特徴とする、請求項１に記載の漢字熟語検索機能。
【発明の詳細な説明】
【０００１】
【発明の属する技術分野】
本発明は漢字の検索機能に関するものであり、特に電子辞書における漢字熟語の検索機能に関する。
【０００２】
【従来の技術】
従来の漢字辞典の熟語検索装置では、使用者が調べたいと思う熟語データの単漢字１文字を特定した場合、その単漢字が含まれている熟語データが全て候補となってしまう事により、使用者が目的とする熟語データに辿り着くまでには、候補として挙げられた複数の熟語データを、更に使用者の目視で目的の熟語データを探す必要がある（例えば、特許文献１参照）。
【０００３】
また、漢字辞典が中国語辞典の場合、全て漢字で表される中国語などは、従来のような漢字熟語検索方法を用いると、その熟語データの候補数は多数存在し、使用者が目的とする熟語データを検索するためには、多くの時間を要する必要があった。
【０００４】
使用者が電子辞書による漢字辞典の熟語検索に求める性能は、迅速且つ的確に目的とする熟語データの候補を列挙することである。従来では、使用者が目的とする熟語データを検索する場合、使用者が特定の単漢字を指定すると、その単漢字が含まれる熟語データが全て候補に挙げられ、実際に使用者が目的する熟語データ以外の熟語も複数候補として挙げられていた。
【０００５】
図４は、漢字熟語を単漢字から検索するための従来技術における処理フローの概要を示す図である。
【０００６】
図４に示すように、使用者による文字入力手段の操作で入力された文字データは、変換手段により単漢字に変換され（ステップＳ４０１）、データメモリ内に記憶されている漢字辞書データ内の漢字と照合され検索される（ステップＳ４０２）。当該単漢字と漢字辞書データ内の漢字とで一致するものがなかった場合には、データ無しということで、表示装置に例えば“対象の漢字を含む熟語は見つかりませんでした”などと画面に表示し、使用者に再度の文字入力を促す。
【０００７】
当該単漢字と漢字辞書データ内の漢字とで一致するものがあった場合には、データ有りということで、すべての熟語候補データを検出し（ステップＳ４０３）、すべての熟語候補データを外部表示装置に画面表示する（ステップＳ４０４）。検出された候補数が多い場合には、一画面内には表示しきれないため、使用者は画面をスクロールさせて目的の熟語を探す必要がある。
【０００８】
図４に示す従来技術での、具体的な漢字辞典の熟語検索を実行する場合の例として、使用者によって「うま（馬）」と入力（または選択）された場合では、例えば「白馬」、「馬方」、「回転木馬」、「騎馬戦」など、「うま（馬）」を含む全ての熟語データが、検索一致データの候補として検出されてしまう。
【０００９】
実際に使用者が求めている漢字辞典の熟語検索とは、使用者が目的とする熟語データに近似するデータを、より迅速且つ正確に候補として挙げることにある。不必要な候補データが存在すると、目的の熟語データを目視で検索するには妨げになり、時間的な浪費と労力を要する作業となる。
【００１０】
【特許文献１】
特開平８−２９７６６５号公報
【００１１】
【発明が解決しようとする課題】
そこで、上記観点に着目し、本発明の目的は、使用者が目的とする漢字辞典の熟語データは、使用者が入力した単漢字データを、目的とする熟語データの何番目に使用されているかを指定する事により、使用者が目的とする熟語データの候補を絞り込む事を可能にし、時間的節約と複数の熟語データの候補を目視する煩わしさを省き、使用者が目的とする漢字熟語データを瞬時に見つけ出すことのできる機能と装置を提供することにある。
【００１２】
【課題を解決するための手段】
上記課題を解決するために本発明は、少なくとも文字データの入力ができる外部入力手段と、前記入力手段から入力した文字データを表示する外部表示装置と、予め多数の語句を収録した漢字辞書データを記憶してあるデータメモリと、前記入力手段から入力された文字データを単漢字に変換し、変換された単漢字を記憶する外部記憶メモリと、前記入力手段より入力された数字データより、外部記憶メモリに記憶された単漢字データを、使用者が目的とする熟語データの何番目に位置するかを判断し、前記入力手段より入力された数字と一致する順番にある熟語データのみを候補と判断し、外部表示装置へ表示させる機能を有する電子辞書における漢字熟語検索機能とした。
【００１３】
また本発明は、使用者が電子辞書により日本語の訳表示を観覧している場合、使用者によって特定の単漢字を指定する事により、熟語検索が可能な電子辞書の場合、使用者によって指定された単漢字が目的とする熟語の何番目に位置するかを指定する事ができる機能を有する漢字熟語検索機能とした。
【００１４】
また本発明は、使用者が電子辞書により漢字辞典の熟語データを検索する場合、使用者によって特定の単漢字を特定し、尚かつ熟語に含まれる単漢字の「前方一致」「後方一致」または「前後以外」を指定する事ができる機能を有する漢字熟語検索機能とした。
【００１５】
さらに本発明は、使用者が電子辞書により中国語辞典を検索する場合、前記入力手段より中国語の１文字を入力し、また文字位置を指定する事により、使用者が目的とする複雑な中国語の漢字熟語を、短時間に入力と検索を行う事を目的とする機能を有する漢字熟語検索機能とした。
【００１６】
本発明では、使用者が入力した、または特定した単漢字データは、まず外部記憶メモリに記憶する。次に、外部記憶メモリに記憶された単漢字データが、目的とする熟語データの何番目に使用されているか、または、前方だけに一致する単漢字なのか、後方だけに一致する単漢字なのかを、外部入力手段により、使用者が任意に指定する。使用者によって任意に指定された熟語データによる単漢字の位置データは、目的とする熟語データを検索する際に、外部記憶メモリに記憶された単漢字と比較しながら、使用者によって任意に指定された単漢字位置データを使用し、目的とする熟語データの候補を検索する。
【００１７】
上記のように構成された漢字辞典の熟語検索機能においては、外部入力手段によって入力された文字データは、単漢字データに変換され外部記憶メモリに記憶される。次に、同外部入力手段によって任意に指定された単漢字の位置情報を元に、漢字辞典の熟語データを、外部記憶メモリに記憶された単漢字データと比較しながら検索を行う。任意に指定された単漢字の位置と、外部記憶メモリに記憶された単漢字が一致した場合、そのまま熟語データの検索候補として、表示データ制御手段を通して表示情報に変換され、外部表示装置で表示される。この時、任意に指定された単漢字位置情報によって、その都度、熟語データの候補は変化する。
【００１８】
上記漢字辞典の熟語検索手段により、使用者が求めるべき熟語データを、迅速且つ的確に検索する事を可能にする。
【００１９】
本発明は、使用者が漢字辞典の熟語を検索する場合、目的とする熟語に使用されている単漢字１文字を特定し、また使用者によって特定された単漢字が目的とする熟語の何番目に位置しているかを指定する事により、必要とされる熟語候補の絞り込みが可能になり、より最適で且つ効率的な漢字辞典の熟語検索を可能にする。
【００２０】
【発明実施の形態】
以下に、本発明の実施例を図１乃至図３に基づいて詳細に説明する。図１は、本発明に係る電子辞書の外観図である。図２は、本発明に係る漢字熟語検索機能の詳細な処理フローである。図３は、本発明に係る熟語検索機能の概要を示す処理フローである。
【００２１】
【実施例】
図１に示す電子辞書１において、入力手段である外部入力キーは、文字を入力するためのキー１ｂ、実行キー１ｄ、表示スクロールキー１ｃ等からなる。
【００２２】
図２に示す処理フローにおいて、文字入力手段は、外部入力キーにより入力された（ステップＳ２０１）文字列を一時記憶する（ステップＳ２０２）。なお、このとき同時に、外部入力キーによって入力された文字列は、自動的に単漢字に変換され（ステップＳ２０３）、外部記憶装置に記憶される。
【００２３】
辞書データは、予めデータメモリに記憶されている漢字辞典データ（中国語辞典含む）とする。
【００２４】
単漢字の位置情報は、外部入力キーによって入力され（ステップＳ２０４）、外部記憶装置に格納（記憶）される（ステップＳ２０５）。ステップＳ２０３で外部記憶装置に記憶された単漢字は、予めデータメモリに記憶されている漢字辞典データと図示しないＣＰＵにより照合され検索される（ステップＳ２０６）。
【００２５】
ステップＳ２０６の検索で、入力されたデータとデータメモリに記憶されている漢字辞典データとが一致した場合にはＹｅｓの方向に進み、一致データは外部記憶装置に格納（記憶）され（ステップＳ２０７）、図２右上に示す処理へ進み単漢字位置情報と比較される（ステップＳ２０８）。
【００２６】
単漢字位置情報と外部記憶装置に記憶された漢字辞典の検索一致データが、使用者によって任意に入力された位置情報と一致した場合にはＹｅｓの方向に進み、当該候補データを検出する（ステップＳ２０９）。ステップＳ２０９で検出された候補データは、図示しない表示データ制御手段により検索一致データが表示用コードにデータコード変換される（ステップＳ２１１）。データコード変換された検索一致データは、図１に示される表示装置１１によって画面表示される（ステップＳ２１２）。
【００２７】
また、電子辞書１の表示装置１１に漢字辞典の訳が表示されている間に、熟語キー１ｅを押すことによって単漢字が指定された場合、上記処理（ステップＳ２０３）より同条件によって漢字辞典の熟語検索が開始される。
【００２８】
次に、具体的に動作を説明する。まず、使用者が電子辞書１の外部入力キーにより任意の単漢字データ、例えば従来技術のところで説明したものと同じ「うま（馬）」を入力（または選択）する。次に漢字辞典の熟語検索に遷移する場合、使用者によって任意に単漢字の位置情報を外部入力キーより入力する。使用者によって任意に入力された「うま（馬）」は、実行キー１ｄが操作されることによって漢字辞典の熟語検索を開始する。
【００２９】
漢字辞典で一致した熟語候補データは、次に単漢字の位置情報によって更に絞り込みが開始される。例えば、使用者によって任意に入力された単漢字の位置情報が「１」（または「前方一致」）の場合、「馬印」、「馬屋」、「馬脚」、「馬耳東風」、「馬尾藻」など、「うま（馬）」を１番目（先頭）に持つ熟語だけを候補データとして、表示装置１１に表示される。
【００３０】
図３に示す本発明の熟語検索機能の場合、単漢字位置情報入力（ステップＳ３０３）の操作処理を加えることで、単漢字の熟語検索時に、一致した候補データを更に絞り込んで表示装置で表示させる（ステップＳ３０６）。
【００３１】
【発明の効果】
本発明では、使用者が任意の単漢字データで漢字辞典の熟語を検索する際に、任意の単漢字位置情報を入力することで、熟語を絞り込んで検索することを特徴とする。この前記漢字辞典の熟語検索機能を用いる事で、使用者が目的とする漢字辞典の熟語データを、迅速且つ的確に調べることができ、また、使用者が入力した任意の単漢字データを、それぞれの単漢字位置情報によって区分けする事もでき、学習課程に適した単漢字の熟語検索機能を実現することができる。
【００３２】
なお、本機能を活用することにより、学習レベルに見合った漢字辞典の熟語検索が可能になり、電子辞書の特性を生かし優れた漢字辞典の活用を実現できる。
【図面の簡単な説明】
【図１】本発明に係る電子辞書の外観図。
【図２】本発明に係る漢字熟語検索機能の詳細な処理フロー。
【図３】本発明に係る熟語検索機能の概要を示す処理フロー。
【図４】従来の技術の概要を示す処理フロー。
【符号の説明】
１    電子辞書
１ａ  辞書モード切り換えキー
１ｂ  文字入力キー
１ｃ  表示スクロールキー
１ｄ  実行キー
１ｅ  熟語キー（検索機能オプション）
１１  表示装置
【図１】
2005070856.tif 000003
【図２】
2005070856.tif 000004
【図３】
2005070856.tif 000005
【図４】
2005070856.tif 000006